(57)【要約】      （修正有）【課題】特に歯ブラシの刷毛を確実に歯ブラシのヘッドに固定していることを検査するための検査装置を提供する。【解決手段】歯ブラシの刷毛の検査装置は、動力機構１０及び２つの回動ユニット２０を有し、該２つの回動ユニット２０は、軸方向に沿って延出するように動力機構１０に取り付けられ、また、該２つの回動ユニット２０が動力機構１０の駆動によりそれぞれ反対方向に回動することにより、歯ブラシを該２つの回動ユニット２０の間に位置させて刷毛のわきを押圧するように回動させ、これによれば、該２つの回動ユニット２０が刷毛のわきを押圧しながら歯ブラシのヘッドと反対する方向へ引っ張り、歯ブラシの刷毛をしっかりと歯ブラシのヘッドに固定しているかどうかを検査することができる。【選択図】図１
2019111308.tif 000002
【特許請求の範囲】
【請求項１】
動力機構と、
該動力機構の駆動により回転すると共に、軸方向に沿って延出するように、該動力機構に取り付けられる、２つの回動ユニットを有し、
該２つの回動ユニットは、それぞれ反対方向に回動することにより、歯ブラシを該２つの回動ユニットの間に位置させて刷毛のわきを押圧するように回動可能なことを特徴とする、
歯ブラシの刷毛の検査装置。
【請求項２】
歯ブラシの刷毛が２つの回動ユニットの間に至るまで歯ブラシを移動させると共に、該２つの回動ユニットがそれぞれ反対方向に回動することにより、前記２つの回動ユニットの表面がそれぞれ歯ブラシの刷毛のわきを押圧しながら歯ブラシのヘッドと反対する方向へ引っ張ることを特徴とする、
歯ブラシの刷毛の検査方法。
【発明の詳細な説明】
【技術分野】
【０００１】
本発明は、特に歯ブラシの刷毛を確実に歯ブラシのヘッドに固定することを検査するための検査装置に関するものである。
【背景技術】
【０００２】
既存の歯ブラシの刷毛を製造する場合は、金属線を用いて一束の刷毛をＵ字形に折り、該金属線及び該一束の刷毛を歯ブラシのヘッドに固定する。前記金属線は、両端を介して歯ブラシのヘッドに固定されることから、前記一束の刷毛を金属線に押し付けて歯ブラシのヘッドに固定することができる。
しかし、既存の歯ブラシを製造する過程において、金属線と刷毛を確実に固定していないと、刷毛が脱落しやすくなり、歯を磨く時、刷毛を脱落してしまう。
【先行技術文献】
【特許文献】
【０００３】
【特許文献１】中国特許公告第ＣＮ１０４４５８４５８Ｂ号
【発明の概要】
【発明が解決しようとする課題】
【０００４】
既存の歯ブラシの品質を検査する方法は、Ｘ線で歯ブラシに金属線を設置しているかどうかを検知することができるが、金属線を確実に固定しているかどうかを検出することができない。このため、マーカーが上述した検査方法を用いて歯ブラシの品質を検査する際、歯ブラシの外観に問題がなくても、刷毛をしっかりと歯ブラシのヘッドに固定しているかどうかを検出することができない。
よって、消費者が不良品の歯ブラシを買った場合、歯を磨く時、刷毛が揺れたり移動したりして、脱落しやすいことから、歯ブラシの品質の検査装置及びその検査方法を改良する必要があった。
【課題を解決するための手段】
【０００５】
本発明にかかる歯ブラシの刷毛の検査装置は、動力機構、及び該動力機構の駆動により回転すると共に、軸方向に沿って延出するように、該動力機構に取り付けられる、２つの回動ユニットを有し、そのうち、２つの回動ユニットは、それぞれ反対方向に回動することにより、歯ブラシを該２つの回動ユニットの間に位置させて刷毛のわきを押圧するように回動させるものである。
【０００６】
本発明にかかる歯ブラシの刷毛の検査方法は、歯ブラシの刷毛が２つの回動ユニットの間に至るまで歯ブラシを移動させると共に、該２つの回動ユニットが反対方向に回動することにより、前記２つの回動ユニットの表面がそれぞれ歯ブラシの刷毛のわきを押圧しながら歯ブラシのヘッドと反対する方向へ引っ張る。
【発明の効果】
【０００７】
本発明に係る歯ブラシの刷毛の検査装置は、上述した構成を有するので、２つの回動ユニットが反対方向に回動しながら、歯ブラシの刷毛を２つの回動ユニットの間に移動し、該２つの回動ユニットにより刷毛のわきを押圧して歯ブラシから離れる方向に引っ張り、品質の検査を行うことができる。
歯ブラシの刷毛が確実に歯ブラシのヘッドに固定されていない場合、刷毛が検査過程で歯ブラシのヘッドから抜き出されることから、検査した歯ブラシの外観を見るだけで、不良品を簡単に判断することができる。このため、不良品を精確に検出することができるので、歯ブラシの歩留まり率を向上させる。
【図面の簡単な説明】
【０００８】
【図１】本発明に係る歯ブラシの刷毛の検査装置の正面図である。
【図２】本発明に係る歯ブラシの刷毛の検査装置の上面図である。
【図３】本発明に係る歯ブラシの刷毛の検査装置の正面断面図である。
【図４】本発明に係る歯ブラシの刷毛の検査装置において、歯ブラシの刷毛を検査する操作を示す説明図である。
【発明を実施するための形態】
【０００９】
図１に示すように、本発明に係る歯ブラシの刷毛の検査装置は、動力機構１０及び２つの回動ユニット２０を有し、前記２つの回動ユニット２０はそれぞれ、動力機構１０により駆動して回転するように、該動力機構１０に取り付けられる。
【００１０】
図１及び図２に示すように、前記動力機構１０は、モータ１１と、２つの伝動軸１２と、２つの伝動歯車１３を備え、前記２つの伝動軸１２は、間隔をおいて並列するように動力機構１０に設置される。そのうち、一方の伝動軸１２は、モータ１１により駆動して回転するように、該モータ１１に取り付けられ、他方の伝動軸１２は、回動自在に動力機構１０に取り付けられる。前記２つの伝動歯車１３はそれぞれ、対応する伝動軸１２に環装され、前記２つの伝動歯車１３は、互いに噛合される。
【００１１】
上述した構成を有すれば、モータ１１を駆動して一方の伝動軸１２を回転させると、該一方の伝動軸１２が伝動歯車１３を介して他方の伝動軸１２を連動して反対方向に回転させることができる。すなわち、本発明においては、２つの伝動歯車１３が互いに噛合されると共に、２つの伝動軸１２のうちの一方がモータ１１により回転することにより、他方の伝動軸１２を連動して反対方向に回転させるため、前記２つの伝動軸１２を同時かつ反対方向に回動させる。
尚、本発明の実施例は、限定するものではなく、他の構成及び技術手段により、２つの伝動軸１２を反対方向に回転させればよい。他の実施例においては、非自動式動力装置を用いてもよく、例えば、手動式動力装置を利用し、２つの伝動軸のうちの一方が回転自在な軸体であり、他方が回転ハンドルであってもよい。
【００１２】
図１及び図２に示すように、前記２つの回動ユニット２０は、それぞれの軸方向Ｌに延出するように、互いに間隔をおいて並列するように、動力機構１０の伝動軸１２に取り付けられ、該伝動軸１２により駆動して回転することができる。
本実施例における回動ユニット２０は、円柱状を呈するものであるが、この形状に制限することはなく、他の形状を呈してもよい。また、本実施例における２つの回動ユニット２０は、水平方向に配列されるが、水平方向に制限はなく、歯ブラシの刷毛の形状により、適宜な方向または配列方法に実施してもよい。
【００１３】
図３及び図４に示すように、前記２つの回動ユニット２０は、仮平面Ａ及び回動状態を備え、前記仮平面Ａは、２つの回動ユニット２０の軸心線にある平面であり、前記２つの回動ユニット２０が回動状態で反対方向に回動して表面２１が次々仮平面Ａを通過する。
【００１４】
図３及び図４に示すように、前記２つの回動ユニット２０が回動状態となる場合は、歯ブラシ９１が２つの回動ユニット２０と接近するように該２つの回動ユニット２０の間に移動し、前記２つの回動ユニット２０が互いに反対方向に回動する。このため、本発明に係る歯ブラシの刷毛の検査方法は、図１乃至図４に示すように、前記２つの回動ユニット２０の表面２１が歯ブラシ９１の刷毛９２のわきを押圧しながら引っ張ることにより、歯ブラシの刷毛を検査することができる。
【００１５】
本発明に係る歯ブラシの刷毛の検査方法は、上述した操作により、歯磨きの状態を模擬して刷毛９２を引っ張り、設定した数値まで検査を行い、歯ブラシ９１の刷毛９２の品質を判断して不良品を取出し、歩留まり率を向上させる。
また、本発明に係る歯ブラシの刷毛の検査方法は、自動化製造プロセスに利用してもよく、ブラシを製造加工から品質の検査まで完全に自動化することができ、生産率を向上させる。
【００１６】
図３及び図４に示すように、本実施例において、前記２つの回動ユニット２０における隣り合った表面２１がそれぞれ上方に回動することから、歯ブラシ９１の刷毛９２を検査する時は、歯ブラシ９１が２つの回動ユニット２０の下方から接近して、刷毛９２を該２つの回動ユニット２０の間に位置させると、該２つの回動ユニット２０により刷毛９２を歯ブラシ９１から離れるように引っ張って刷毛９２の丈夫程度を検査する。
一方、その２つの回動ユニット２０における隣り合った表面２１がそれぞれ下方に回動してもよく、この時、歯ブラシ９１が該２つの回動ユニット２０の上方から接近してもよい。前記２つの回動ユニット２０の回動方向は、制限することはなく、歯ブラシ９１の刷毛９２を押圧して引っ張ることにより、検査を行えばよい。
【符号の説明】
【００１７】
１０  動力機構
１１  モータ
１２  伝動軸
１３  伝動歯車
２０  回動ユニット
２１  表面
Ａ    仮平面
９１  歯ブラシ
９２  刷毛
【図１】
2019111308.tif 000003
【図２】
2019111308.tif 000004
【図３】
2019111308.tif 000005
【図４】
2019111308.tif 000006